(57)【要約】ＲＮＣ（無線ネットワーク制御器）、基地局、及びアクセス端末の各々からＨＳＰＡ（高速パケット・アクセス）サービス・セル切換えを容易にするための方法及び装置が提供される。ＲＮＣは各々の基地局を識別する識別コードを提供することによってＨＳ−ＤＳＣＨにおけるアクセス端末及び各基地局を事前設定する。ＲＮＣは系列番号によってタグ付けされたデータ・パケットをそれらが同期的にバッファーされる各基地局に送信する。アクセス端末はＰＤＵ（プロトコル・データ・ユニット）を各々の基地局に送信することによってハンドオーバーを開始する。ＰＤＵは目標基地局の識別コード及び次のパケットの系列番号によってコード化される。その目標基地局はＰＤＵを受取り、そしてアクセスを端末とのハンドオーバーを直接完了する。
2011515966.tif 000002
【特許請求の範囲】
【請求項１】
無線ネットワークにおける基地局がＨＰＳＡ（高速パケット・アクセス）サービス・セルの切換えを容易にする方法であって、
コンピューター可読記憶メディア上に記憶されたコンピューター実行可能命令を実行するプロセッサーを用いることで、次の行為を実施する；
ＲＮＣ（無線ネットワーク制御器）から設定データを受取ること、前記設定データは前記基地局に割当てられた識別コードを含む；
前記ＲＮＣから受取られたデータ・パケットの系列をバッファーに入れること、前記データ・パケットの各々は系列番号を含む；
アクセス端末から受取られた一連のＰＤＵ（プロトコル・データ・ユニット）の各々を監視すること、前記ＰＤＵの各々は特定の識別コード及び特定の系列番号によってコード化される；及び
前記ＰＤＵの各々でコード化された識別コード及び系列番号の機能として前記データ・パケットを前記アクセス端末に送信することを含む方法。
【請求項２】
前記送信行為は、肯定応答／否定応答（ＡＣＫ／ＮＡＣＫ）信号を前記アクセス端末から受取る機能として前記データ・パケットを送信することをさらに含む、請求項１記載の方法。
【請求項３】
前記送信行為は、ＡＣＫ／ＮＡＣＫ信号が受信される限り前記データ・パケットを送信することをさらに含む、請求項２記載の方法。
【請求項４】
一連のＡＣＫ／ＮＡＣＫ信号がもはや受信されない決定を行うことを含み、その決定が行われた後、前記送信行為はさらに前記データ・パケットを送信するのを閾値時間、停止することをさらに含む、請求項２記載の方法。
【請求項５】
前記基地局が前記データ・パケットを前記アクセス端末に送信し始めたことを示す通知を前記ＲＮＣに送信することをさらに含む、請求項１記載の方法。
【請求項６】
前記設定データは、受信したＰＤＵにおいてコード化された系列番号の機能としてバッファーからデータ・パケットを廃棄するための命令を含む、請求項１記載の方法。
【請求項７】
無線環境の中でＨＰＳＡ（高速パケット・アクセス）サービス・セルの切換えを容易にするための基地局であって、
コンピューター可読命令を記憶するように設定されたメモリー要素部；
前記メモリー要素部に連結され、そしてコンピューター可読な命令を実行するように設定されたプロセッサー要素部、前記命令は、以下の要素部における複数の行為を実行する命令を含んでいる；
ＲＮＣ（無線ネットワーク制御器）から設定データ及びデータ・パケットを受取るように設定された受信要素部、ここにおいて前記設定データは前記基地局に割当てられた識別コードを含み、ここにおいて前記データ・パケットの各々は系列番号を含み、前記受信要素部は同様にアクセス端末によって送信された一連のＰＤＵ（プロトコル・データ・ユニット）の各々を受取るように設定された受信要素部、ここにおいて前記ＰＤＵの各々は、特定の識別コード及び特定の系列番号によってコード化される；
前記ＲＮＣから受け取ったデータ・パケットを連続的にバッファーするように設定されたバッファー要素部；及び
各ＰＤＵにおいてコード化された識別コード及び系列番号の機能としてデータ・パケットを前記アクセス端末に送信するように設定された送信要素部を具備する基地局。
【請求項８】
前記受信要素部は、さらに肯定応答／否定応答（ＡＣＫ／ＮＡＣＫ）信号を前記アクセス端末から受取るように設定され、前記送信要素部は、さらに前記ＡＣＫ／ＮＡＣＫ信号を受取る機能としてデータ・パケットを送信するように設定される、請求項７記載の基地局。
【請求項９】
前記送信要素部は、さらにＡＣＫ／ＮＡＣＫ信号が受信される限り前記データ・パケットを送信するように設定される、請求項８記載の基地局。
【請求項１０】
タイミング要素部をさらに具備し、前記タイミング要素部は、ＡＣＫ／ＮＡＣＫ信号を受信してから時間の閾量が経過した決定を行うように設定され、前記送信要素部はさらに一旦決定が行われるとデータ・パケットの送信を停止するように設定される、請求項８記載の基地局。
【請求項１１】
前記送信要素部は、さらに前記基地局がデータ・パケットを前記アクセス端末に送信し始めたことを示すＲＮＣに通知を送信するように設定される、請求項７記載の基地局。
【請求項１２】
バッファー要素部はさらに受信ＰＤＵにおいてコード化された系列番号の機能としてデータ・パケットを廃棄するように設定される、請求項７記載の基地局。
【請求項１３】
基地局からのＨＳＰＡ（高速パケット・アクセス）サービス・セルの切換えを容易にするためのコンピューター・プログラム製品であって、
ＲＮＣ（無線ネットワーク制御器）から設定データを受取るためのコード、前記設定データは基地局に割当てられた識別コードを含む；
前記ＲＮＣから受信された一連のデータ・パケットをバッファーに入れるためのコード、前記データ・パケットの各々は系列番号を含む；
前記アクセス端末から受信された一連のＰＤＵ（プロトコル・データ・ユニット）を監視するためのコード、前記ＰＤＵの各々は特定の識別コード及び特定の系列番号によってコード化される；及び
各ＰＤＵにおいてコード化された識別コード及び系列番号の機能として前記データ・パケットを前記アクセス端末に送信するためのコード、
を具備するコンピューター可読記憶メディア、
を具備するコンピューター・プログラム製品。
【請求項１４】
基地局からのＨＳＰＡ（高速パケット・アクセス）サービス・セルの切換えを容易にするための装置であって、
ＲＮＣ（無線ネットワーク制御器）から設定データを受取るための手段、前記設定データは基地局に割当てられた識別コードを含む；
前記ＲＮＣから受信された一連のデータ・パケットをバッファーに入れるための手段、前記データ・パケットの各々は系列番号を含む；
アクセス端末から受信された一連のＰＤＵ（プロトコル・データ・ユニット）を監視するための手段、前記ＰＤＵの各々は特定の識別コード及び特定の系列番号によってコード化される；及び
各ＰＤＵにおいてコード化された識別コード及び系列番号の機能として前記データ・パケットを前記アクセス端末に送信するための手段を具備する装置。
【請求項１５】
無線ネットワークにおけるアクセス端末についてＨＳＰＡ（高速パケット・アクセス)サービス・セルの切換えを容易にする方法であって、
コンピューター可読の記憶メディア上に記憶されたコンピューター実行可能命令を実行するためにプロセッサーを用いるものであり、前記命令は以下の行為を実施する、
設定データを受取ること、前記設定データは一組の識別コードを含み、前記識別コードの各々は稼働集合における複数の基地局の一つに割当てられる；
データ・パケットの第一集合を起点基地局から連続して受取ること、前記起点基地局は複数の基地局に含まれ、データ・パケットの第一集合は一連のデータ・パケットの部分集合であり、そこでは一連のデータ・パケットの各々は系列番号を含む；
実行するように設定されたプロセッサー要素部、前記コンピューター可読命令は以下の複数の行為を実施するための命令を含む、
設定データ及びデータ・パケットの第一集合を受取るように設定された受信要素部、ここにおいて、前記設定データは一組の識別コードを含み、前記識別コードの各々は稼働集合における複数の基地局の一つに割当てられ、ここにおいて、前記データ・パケットの第一集合は前記起点基地局から連続的に受取られ、前記データ・パケットの第一集合は一連のデータ・パケットの各々が系列番号を含む一連のデータ・パケットの部分集合である；
前記複数の基地局の各々から信号品質を確認し、そして確認された信号品質の機能として目標基地局を選択するように設定された信号監視要素部；
前記目標基地局に対応する識別コード及び次のデータ・パケットに対応する系列番号によってＰＤＵ（プロトコル・データ・ユニット）をコード化するように設定されたＰＤＵコード化要素部；及び
ハンドオーバー処理を開始するためにＰＤＵを複数の基地局の各々に送信するように設定された送信要素部、前記ハンドオーバー処理は、データ・パケットの第二集合が前記目標基地局から受取られたかどうかの機能として完了され、前記データ・パケットの第二集合は一連のデータ・パケットの部分集合であり、ここにおいて前記パケットの第二集合は前記次のデータ・パケットによって始まることを有する方法。
【請求項１６】
前記選択する行為は前記複数の基地局の各々から受取られる信号を連続して標本化することを含む、請求項１５記載の方法。
【請求項１７】
前記選択する行為は前記複数の基地局の各々から受取られた信号を定期的に標本化することを含む、請求項１５記載の方法。
【請求項１８】
前記選択する行為は前記設定データの一部として提供された命令に従って前記複数の基地局の各々から受け取った信号を標本化することを含む、請求項１５記載の方法。
【請求項１９】
前記実行する行為は前記ＰＤＵが送信されてしまってから時間の閾量が経過したかどうかを確認することを含み、ここにおいて前記時間の閾量が経過してしまう前に次のパケットを受けとらなければ前記ハンドオーバーは取止められる、請求項１５記載の方法。
【請求項２０】
前記設定データは前記時間の閾量を決定するための命令を含む、請求項１９記載の方法。
【請求項２１】
無線環境の中のＨＳＰＡ（高速パケット・アクセス）サービス・セルの切換えを容易にするためのアクセス端末であって、
コンピューター可読命令を記憶するように設定されたメモリー要素部；
前記メモリー要素部に連結され、そしてコンピューター可読命令を実行するように設定されたプロセッサー要素部、前記コンピューター可読命令は以下の複数の行為を実施するための命令を含む、
設定データ及びデータ・パケットの第一集合を受取るように設定された受信要素部、ここにおいて、前記設定データは一組の識別コードを含み、前記識別コードの各々は稼働集合における複数の基地局の一つに割当てられ、ここにおいて、前記データ・パケットの第一集合は前記起点基地局から連続的に受取られ、前記データ・パケットの第一集合は一連のデータ・パケットの各々が系列番号を含む一連のデータ・パケットの部分集合である；
前記複数の基地局の各々から信号品質を確認し、そして確認された信号品質の機能として目標基地局を選択するように設定された信号監視要素部；
前記目標基地局に対応する識別コード及び次のデータ・パケットに対応する系列番号によってＰＤＵ（プロトコル・データ・ユニット）をコード化するように設定されたＰＤＵコード化要素部；及び
ハンドオーバー処理を開始するためにＰＤＵを複数の基地局の各々に送信するように設定された送信要素部、前記ハンドオーバー処理は、データ・パケットの第二集合が前記目標基地局から受取られたかどうかの機能として完了され、前記データ・パケットの第二集合は一連のデータ・パケットの部分集合であり、ここにおいて前記パケットの第二集合は前記次のデータ・パケットによって始まる、を具備するアクセス端末。
【請求項２２】
前記信号監視要素部は複数の基地局の各々から受け取った信号を連続して標本化するように設定される、請求項２１記載のアクセス端末。
【請求項２３】
前記信号監視要素部は複数の基地局の各々から受け取った信号を定期的に標本化するように設定される、請求項２１記載のアクセス端末。
【請求項２４】
前記信号監視要素部は設定データの一部として提供された命令に従って複数の基地局の各々から受取られた信号を標本化するように設定される、請求項２１記載のアクセス端末。
【請求項２５】
前記ＰＤＵが送信されてしまってから前記時間の閾量が経過したかどうかを確認するように設定されたタイミング要素部をさらに具備し、ここにおいて前記時間の閾量が経過してしまう前に次のパケットが受取られなければ前記ハンドオーバー処理は取止められる、請求項２１記載のアクセス端末。
【請求項２６】
前記設定データは前記時間の閾量を決定するための命令を含む、請求項２５記載のアクセス端末。
【請求項２７】
アクセス端末からのＨＳＰＡ（高速パケット・アクセス）サービス・セル切換えを容易にするためのコンピューター・プログラム製品であって、
設定データを受取るためのコード、前記設定データは一組の識別コードを含み、前記識別コードの各々は稼働集合における複数の基地局の一つに割当てられる；
データ・パケットの第一集合を起点基地局から連続して受取るためのコード、前記起点基地局は複数の基地局中に含まれ、データ・パケットの第一集合は一連のデータ・パケットの部分集合であり、そこでは一連のデータ・パケットの各々は系列番号を含む；
前記複数の基地局の各々について確認された信号品質の機能として前記複数の基地局から目標基地局を選択するためのコード；
ＰＤＵ（プロトコル・データ・ユニット）を前記複数の基地局の各々に送信するためのコード、前記ＰＤＵは前記目標基地局に対応する識別コード及び次のデータ・パケットに対応する系列番号によってコード化される；及び
データ・パケットの第二集合が目標基地局から受取られたかどうかの機能としてハンドオーバーを行うコード、前記データ・パケットの第二集合は一連のデータ・パケットの部分集合であり、ここにおいて前記パケットの第二集合は前記次のデータ・パケットによって始まる、
を具備するコンピューター可読記憶メディア、
を具備するコンピューター・プログラム製品。
【請求項２８】
アクセス端末からのＨＳＰＡ（高速パケット・アクセス）サービス・セル切換えを容易にするための装置であって、
設定データを受取るための手段、前記設定データは一組の識別コードを含み、各々の識別コードは稼働集合における複数の基地局の一つに割当てられる；
データ・パケットの第一集合を起点基地局から連続して受取るための手段、前記起点基地局は前記複数の基地局中に含まれ、前記データ・パケットの第一集合は一連のデータ・パケットの部分集合であり、ここにおいて前記一連のデータ・パケットの各々は系列番号を含む；
前記複数の基地局の各々について確認された信号品質の機能として前記複数の基地局から目標基地局を選択するための手段；
ＰＤＵ（プロトコル・データ・ユニット）を前記複数の基地局の各々に送信するための手段、前記ＰＤＵは前記目標基地局に対応する識別コード及び次のデータ・パケットに対応する系列番号によってコード化される；及び
データ・パケットの第二集合が前記目標基地局から受取られたかどうかの機能としてハンドオーバーを行う手段、前記データ・パケットの第二集合は一連のデータ・パケットの部分集合であり、ここにおいてパケットの第二集合は次のデータ・パケットによって始まることを具備する装置。
【請求項２９】
無線ネットワークにおけるＲＮＣ（無線ネットワーク制御器）についてアクセス端末からのＨＳＰＡ（高速パケット・アクセス）サービス・セル切換えを容易にする方法であって、
コンピューター可読記憶メディア上に記憶されたコンピューター実行可能命令を実行するためにプロセッサーを用いて、以下の行為を実施し、
アクセス端末について稼働集合を含む前記複数の基地局を識別すること；
前記複数の基地局の各々について識別コードを生成すること；
前記アクセス端末及び前記複数の基地局を事前設定すること、ここにおいて前記複数の基地局の各々について識別コードを持つ前記アクセス端末が提供され、ここにおいて対応する識別コードを持つ複数の基地局の各々が提供される；及び
系列番号を含む前記複数の基地局と前記データ・パケットに同時に一連のデータ・パケットを送信することを有する方法。
【請求項３０】
無線環境の中のＨＳＰＡ（高速パケット・アクセス）サービス・セル切換えを容易にするためのＲＮＣ（無線ネットワーク制御器）であって、
コンピューター可読命令を記憶するように設定されたメモリー要素部；
メモリー要素部に連結され、そしてコンピューター可読の命令を実行するように設定されたプロセッサー要素部、前記命令は次の要素部における行為を実行する：
複数の基地局の各々について識別コードを生成するように設定された識別コード要素部、前記複数の基地局はアクセス端末について稼働集合を含む；
設定データをアクセス端末及び複数の基地局に提供するように設定された設定要素部、ここにおいて前記アクセス端末は前記複数の基地局の各々について識別コードと共に提供され、ここにおいて前記複数の基地局の各々はその対応する識別コードと共に提供される；
一連のデータ・パケットをコア・ネットワークから受取るように設定された受信要素部；
一連のデータ・パケットの各々を系列番号によってタグ付けするように設定されたタグ付け要素部、ここにおいて、各々の系列番号は受信データ・パケットについて所望の順序に対応する；及び
各データ・パケットの前記系列番号に従って一連のデータ・パケットを複数の基地局の各々に同時に送信するように設定された送信要素部を具備するＲＮＣ。
【発明の詳細な説明】
【発明の分野】
【０００１】
関連出願に対する相互参照
この出願は２００８年３月２１日に出願された、「ＭＡＣに基づくＨＳＰＡのための高速セル切換え（MAC-BASED FAST CELL SWITCHING FOR HSPA）」と題する米国暫定特許出願番号第６１／０３８，５６０号の便益を要求する。
【０００２】
本出願は一般に無線通信に関係し、メディア・アクセス制御（ＭＡＣ）に基づくネットワーク内の高速度パケット・アクセス（ＨＳＰＡ）高速セル切換えを可能にする方法及びシステムに関係する。
【背景技術】
【０００３】
無線通信システムは様々な形式の通信を提供するために広く展開されている；例えば、音声及び／またはデータはそのような無線通信システムによって提供される。一般的な無線通信システムまたはネットワークは多数のユーザーに一以上の共有資源（例えば、帯域幅、送信電力等）へのアクセスを行う。例えば、システムは周波数分割多重化（ＦＤＭ）、時分割多重化（ＴＤＭ）、符号分割多重化（ＣＤＭ）、直交周波数分割多重化（ＯＦＤＭ）、高速パケット（ＨＳＰＡ、ＨＳＰＡ＋）及びその他といった様々な多元アクセス技術を使用する。さらに、無線通信システムはＩＳ−９５、ＣＤＭＡ２０００、ＩＳ−８５６、Ｗ−ＣＤＭＡ、ＴＤ−ＳＣＤＭＡ、等といった一以上の規格を実施するように設計される。
【０００４】
一般に、無線多元アクセス通信システムは多数の無線端末の通信を同時に支援する。そのようなシステムでは、各端末は一以上の基地局と順方向及び逆方向回線上の送信を介して通信する。順方向回線（または下り回線）は基地局から端末への通信回線を云い、そして逆方向回線（または上り回線）は端末から基地局への通信回線を云う。この通信回線は単一入力−単一出力（ＳＩＳＯ）、多入力−信号出力（ＭＩＳＯ）、または多入力−多出力（ＭＩＭＯ）システムによって確立される。
【０００５】
無線通信システムにおいて動作するアクセス端末はハンドオーバー操作を使用して第一（例えば、起点（source））セルの通信区域（coverage）から第二（例えば、目標（target））セルの通信区域へ変更する。例えば、端末は要求する通信を開始し、そして続いてハンドオーバーの間に目標セルとの接続を確立する。ＨＳＰＡサービス・セル変更手続きに関して、特別な懸念が信頼性及び待ち時間の両方に関して持ち上がっている。さらに、現行のＨＳＰＡ手続きが音声のような低待ち時間実時間アプリケーションに十分な品質のサービスを提供するかどうか不明確である。大部分の音声トラヒックがＨＳＰＡ上で将来搬送されるであろうことが予想されるので、ＨＳＰＡサービス・セルを確実に切換えるための低待ち時間の方法及び装置を持つことがしたがって望ましいであろう。
【発明の概要】
【０００６】
下記はそのような実施例の基本的な理解を行うために一以上の実施例の簡単な要約を提示する。この要約は全ての熟考された実施例の広い概観であるとは限らず、そして全ての実施例の鍵または重要な要素を特定したり、或いは全ての実施例の範囲の描写するいずれでもない。その唯一の目的は後で提示されるさらに詳細な記述の前置きとしての簡単な形で一以上の実施例のいくつかの概念を提示することである。
【０００７】
一以上の実施例及びその対応する開示に関して、様々な形態がＨＳＰＡサービス・セルの切換えを容易にすることに関連して述べられる。一つの形態では、基地局からＨＳＰＡサービス・セルの切換えを容易にするための方法、装置、及びコンピューター・プログラム製品が開示される。そのような実施例の範囲内で、基地局はＲＮＣ（高周波ネットワーク制御器）から基地局に割当てられた識別コードを含む設定データ（configuration data）を受取る。データ・パケット系列（その中で各々のデータ・パケットが特定の系列番号によってタグ付けされる）もまたＲＮＣから受取られる。基地局はまたＰＤＵ（プロトコル・データ・ユニット）の各々が特定の識別コード及び特定の系列番号によってコード化されるアクセス端末からの一連のＰＤＵの各々を受取る。データ・パケットはそこで各ＰＤＵにおいてコード化された識別コード及び系列番号の機能としてアクセス端末に送信される。
【０００８】
別の形態では、アクセス端末からＨＳＰＡサービス・セルの切換えを容易にするための方法、装置、及びコンピューター・プログラム製品が開示される。そのような実施例の範囲内で、アクセス端末は各識別コードが稼働集合において特定の基地局に割当てられる一組の識別コードを含む設定データを受取る。アクセス端末はまと起点基地局から連続してデータ・パケットの第一集合を受取る。この実施例に関して、データ・パケットの第一集合は系列中の各データ・パケットが系列番号を含む一連のデータ・パケットの部分集合である。目標基地局はそこで稼働集合中の各々の基地局について確認された信号品質の機能として選択される。アクセス端末はそこでＰＤＵを各々の基地局に送信する。ＰＤＵは目標基地局に対応する識別コード及び次のデータ・パケットに対応する系列番号によってコード化される。ハンドオーバー手続きはそこでデータ・パケットの第二集合が目標基地局から受取られるかどうかの機能として実行される。ここで、データ・パケットの第二集合はデータ・パケットの第二集合が次のデータ・パケットによって始まる一連のデータ・パケットの部分集合である。
【０００９】
なお別の形態では、ＲＮＣからＨＳＰＡサービス・セルの切換えを容易にするための方法、装置、及びコンピューター・プログラム製品が開示される。そのような実施例の範囲内で、ＲＮＣはアクセス端末に関する稼働集合を含む基地局を識別し、そして各々の基地局について識別コードを生成する。ＲＮＣはまたアクセス端末及び複数の基地局を事前設定する。アクセス端末の事前設定は各々の基地局に関する識別コードをアクセス端末に提供することを含む。基地局の事前設定は各基地局にその対応する識別コードを提供する。ＲＮＣはまた一連のデータ・パケットを各々のデータ・パケットが系列番号によってタグ付けされる各々の基地局に同時に送信する。
【００１０】
前述及び関連の目的の達成に対して、一以上の実施例は以下に十分に述べられ、且つ特に請求項において指摘される特徴を含む。次の記述及び付属の図は一以上の実施例のある例示形態を詳細に説明する。しかしながら、これらの形態は様々な実施例の原理が採用される様々な方法の二、三を示すに過ぎず、そして記述した実施例はそのような全ての形態及びそれらと同等な物を含むことを意味する。
【図面の簡単な説明】
【００１１】
【図１】実施例に従ってＨＳＰＡサービス・セルの切換えを容易にするための典型的な無線通信システムの例示である。
【図２】実施例による典型的なＨＳＰＡサービス・セル変更手続きの例示である。
【図３】一つの実施例に基づくＰＤＵに関する典型的な構造の例示である。
【図４】実施例による典型的な無線ネットワーク制御ユニットのブロック図である。
【図５】高周波ネットワーク制御器からＨＳＰＡサービス・セルの切換えを達成する電気要素部の典型的な結合の例示である。
【図６】実施例による典型的な基地局ユニットのブロック図である。
【図７】基地局からＨＳＰＡサービス・セルの切換えを達成する電気要素部の典型的な結合の例示である。
【図８】基地局からＨＳＰＡサービス・セルの切換えを容易にするための典型的な方法を例示するフロー・チャートである。
【図９】実施例による典型的なアクセス端末ユニットのブロック図である。
【図１０】アクセス端末からＨＳＰＡサービス・セルの切換えを達成する電気要素部の典型的な結合の例示である。
【図１１】アクセス端末からＨＳＰＡサービス・セルの切換えを容易にするための典型的な方法を例示するフロー・チャートである。
【図１２】現行のサービス・セル変更手続きの典型的な信号流れを例証する。
【図１３】一つの実施例による、ＭＡＣに基づくサービス・セル変更手続きの典型的な信号の流れを例示する。
【図１４】典型的な無線通信システムを例示する。
【図１５】多数のセルを含む様々な形態に従って実施される典型的な通信システムの例示である。
【図１６】ここに述べる様々な形態による典型的な基地局の例示である。
【図１７】ここに述べる様々な形態に従って実施される典型的な無線端末の例示である。
【発明を実施するための形態】
【００１２】
様々な実施例がここで図面を参照して述べられるが、この中で同様の参照数字が全体を通して同様の要素を参照するために使用される。次の記述では、説明の目的のために、多数の特定の詳細が一以上の実施例の完全な理解を行うために説明される。しかしながら、そのような実施例はこれらの特定の詳細がなくても実践されることは明白である。他の場合では、周知の構造及びデバイスは一以上の実施例を記述するのを容易にするためにブロック図形式で示される。
【００１３】
ここに述べる技術は符号分割多元アクセス（ＣＤＭＡ）、時分割多元アクセス（ＴＤＭＡ）、周波数分割多元アクセス（ＦＤＭＡ）、直交周波数分割多元アクセス（ＯＦＤＭＡ）、単一キャリア周波数分割多元アクセス（ＳＣ−ＦＤＭＡ）、高速パケット・アクセス（ＨＳＰＡ）、及びその他のシステムといった様々な無線通信システムに使用される。用語「システム」及び「ネットワーク」はしばしば互換的に使用される。ＣＤＭＡシステムは汎用地上無線アクセス（Universal Terrestrial Radio Access：ＵＴＲＡ）、ＣＤＭＡ２０００、等といった無線技術を実施する。ＵＴＲＡは広帯域ＣＤＭＡ及びＣＤＭＡの他の変形を含む。ＣＤＭＡ２０００はＩＳ−２０００、ＩＳ−９５及びＩＳ−８５６規格を被包する。ＴＤＭＡシステムは汎欧州ディジタル・セルラー・システム（ＧＳＭ（登録商標））といった無線技術を実施する。ＯＦＤＭＡシステムは進化ＵＴＲＡ（Ｅ−ＵＴＲＡ）、超モバイル広帯域（Ultra Mobile Broadband：ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭＡ、等といった無線技術を実施する。ＵＴＲＡ及びＥ−ＵＴＲＡは汎用モバイル通信システム（Universal Mobile Telecommunication System：ＵＭＴＳ）の一部である。３ＧＰＰ長期進化法（Long Term Evolution：ＬＴＥ）は下り回線上でＯＦＤＭＡ、そして上り回線上でＳＣ−ＦＤＭＡを採用するＥ−ＵＴＲＡを使用するＵＭＴＳの次期公開版である。
【００１４】
単一キャリア周波数分割多元アクセス（ＳＣ−ＦＤＭＡ）は一つのキャリア変調及び周波数領域等化を利用する。ＳＣ−ＦＤＭＡはＯＦＤＭＡシステムのそれらと同様の性能及び本質的に同じ全体複雑さを有する。ＳＣ−ＦＤＭＡ信号はその本来の単一キャリア構造のために低いピーク対平均電力比（peak-to-average power ratio：ＰＡＰＲ）を有する。低ＰＡＰＲが送信電力効率に関してアクセス端末を非常に利する場合には、ＳＣ−ＦＤＭＡは、例えば、上り回線通信において使用される。従って、ＳＣ−ＦＤＭＡは３ＧＰＰ長期進化法（ＬＴＥ）において上り回線多元アクセス手法として実施される。
【００１５】
高速パケット・アクセス（ＨＳＰＡ）は高速下り回線パケット・アクセス（ＨＳＤＰＡ）技術及び高速上り回線パケット・アクセス（ＨＳＵＰＡ）技術または強化上り回線（ＥＵＬ）技術を含み、そしてまたＨＳＰＡ＋技術を含む。ＨＳＤＰＡ、ＨＳＵＰＡ及びＨＳＰＡ＋はそれぞれ第三世代共同プロジェクト（３ＧＰＰ）仕様公開文書５、公開文書６、及び公開文書７の一部である。
【００１６】
高速下り回線パケット・アクセス（ＨＳＤＰＡ）はネットワークからユーザー設備（ＵＥ）へのデータ送信を最適化する。ここに使われるように、ネットワークからユーザー設備ＵＥへの送信は「下り回線」（ＤＬ）として参照される。送信方法は数Ｍビット／秒のデータ速度（data rates）を許容する。高速下り回線パケット・アクセス（ＨＳＤＰＡ）はモバイル無線ネットワークの容量を増大させる。高速上り回線パケット・アクセス（ＨＳＵＰＡ）は端末からネットワークへのデータ送信を最適化する。ここに使用されるように、端末からネットワークへの送信は「上り回線」（ＵＬ）として参照される。上り回線データ送信方法は数Ｍビット／秒のデータ速度を許容する。３ＧＰＰ仕様の公開文書７において指定されたように、ＨＳＰＡ＋は上り回線及び下り回線の両方においてさらに改善を行う。高速パケット・アクセス（ＨＳＰＡ）方法は一般的に大量のデータを送信するデータ・サービス、例えば、ボイス・オーバー・アイピー（Voice over IP：ＶｏＩＰ）、テレビ会議、及びモバイル・オフィス・アプリケーションにおいて下り回線及び上り回線の間の速い相互作用を可能にする。
【００１７】
混成自動反復要求（hybrid automatic repeat request：ＨＡＲＱ）のような高速データ送信プロトコルは上り回線及び下り回線上で使用される。混成自動反復要求（ＨＡＲＱ）のように、そのようなプロトコルは誤って受取られたであろうパケットの再送信を受信者が自動的に要求することを可能にする。
【００１８】
様々な実施例がアクセス端末に関連してここに述べられる。アクセス端末はまたシステム、加入者ユニット、加入局、移動局、モバイル、遠隔局、遠隔端末、モバイル・デバイス、ユーザー端末、無線通信デバイス、ユーザー・エージェント、ユーザー・デバイス、またはユーザー設備（ＵＥ）と呼ばれる。アクセス端末はセルラー電話、コードレス電話、セッション開始プロトコル（Session Initiation Protocol：ＳＩＰ）電話、無線加入回線（wireless local loop：ＷＬＬ）局、個人情報機器（personal digital assistant：ＰＤＡ）、無線接続能力を持つ携帯用デバイス、計算デバイス、または無線モデムに接続された他の処理デバイスである。さらに、様々な実施例が基地局に関連してここに述べられる。基地局はアクセス端末と通信するために利用され、そしてまたアクセス点、ノードＢ、進化ノードＢ（ｅＮｏｄｅＢ）、または他の用語として参照される。
【００１９】
図１を参照すると、実施例によりＨＳＰＡサービス・セルの切換えを容易にするための典型的な無線通信システムの例示が提供される。例示したように、システム１００はコア・ネットワーク１１０及び稼働集合中の複数の基地局１３０及び１３２の各々と通信している無線ネットワーク制御器（ＲＮＣ）１２０を含む。そのような実施例の中で、ＲＮＣ １２０はコア・ネットワーク１１０から下り回線データ・パケットを受取り、そして基地局１３０及び１３２を介してそれらをＵＥ １４０に中継する。この特定の例について、基地局１３２は現在の起点基地局であることが示されているが、ＵＥ １４０は続いてセル変更を基地局１３０の一つへ要求するかもしれない。ここで、ＨＳＰＡプロトコルは稼働集合の基地局の数を４に制限することを注目すべきである。それでもなお、開示の主題は基地局の特定の数に全く制限されないことをさらに注目すべきである。
【００２０】
図２に転じると、実施例による典型的なサービス・セル変更手続きの例示が提供される。例示したように、システム２００は起点基地局２２０及び目標基地局２３０と通信しているＲＮＣ ２１０を含み、そこでは起点基地局２２０及び目標基地局２３０の各々はＵＥ ２４０と通信している。そのような実施例の中で、コア・ネットワークからＲＮＣ ２１０によって受取られた下り回線データ・パケットは系列番号によってタグ付けされ、そして続いて起点基地局２２０及び目標基地局２３０の各々に送信される。さらに、タグ付けされたデータ・パケット２１２はＲＮＣ ２１０によって続いて送信され、そこでは基地局２２０及び２３０において受取られたデータ・パケットは系列番号に従ってそれぞれバッファーされ（２２２及び２３２）、そして続いてＵＥ ２４０に送信される。
【００２１】
一形態では、データ・パケットが受取られるとき（２４２）、ＵＥ ２４０はセル変更要求が行われるべきかどうかを確認するために起点基地局２２０及び目標基地局２３０からの信号強度を監視する。セル変更が望まれるならば、そのような変更の要求はプロトコル・データ・ユニット（ＰＤＵ）をコード化することによって促進される。そのような実施例の中で、ＵＥ ２４０は所望の目標セル、及び続く所望のデータ・パケットを識別するためにＰＤＵをコード化する。例えば、セル変更要求が例示の例の状況の下で行われるならば、ＵＥ ２４０は目標基地局２３０、及びデータ・パケットの系列の「第二」データ・パケットを識別するためにＰＤＵ ２４４をコード化する。ＰＤＵ ２４４が目標基地局２３０にうまく受取られていたと仮定して、ＵＥ ２４０が目標基地局２３０からのデータ・パケットを受取り始めるであろう場合、ＰＤＵ ２４４はそこで起点基地局２２０及び目標基地局２３０の各々に送信される。
【００２２】
ＰＤＵが複数の方法のどれでも設定されることを評価すべきである。図３では、実施例によるＰＤＵに関する典型的な構造の例示が提供される。例示したように、ＰＤＵ ３００は８ビットＭＡＣ制御ＰＤＵとして定義され、そこではＰＤＵのフィールドはセルＩＤ ３１０を識別するための２−ビット・フィールド及び次のデータ・パケット３２０を識別するための６−ビット・フィールドを含む。そのような実施例の中で、次のデータ・パケット３２０は系列番号の６最下位ビットを提供することによって識別される。代替実施例では、２進割当がＩｕｂ／Ｉｕｒ上で実行されるならば、次のデータ・パケット３２０はＵＴＲＡＮによって設定される。
【００２３】
図４を参照すると、実施例による典型的なＲＮＣユニットのブロック図が提供される。例示したように、ＲＮＣユニット４００はプロセッサー要素部４１０、メモリー要素部４２０、識別コード要素部４３０、設定要素部４４０、受信要素部４５０、タグ付け要素部４６０、及び送信要素部４７０を含む。
【００２４】
一つの形態では、プロセッサー要素部４１０は複数の機能のいずれかを行うことに関係するコンピューター可読命令を実行するように設定される。プロセッサー要素部４１０はＲＮＣユニットから通信される情報を解析し、且つ／またはメモリー要素部４２０、識別コード要素部４３０、形成要素部４４０、受信要素部４５０、タグ付け要素部４６０、及び／または送信要素部４７０によって利用される情報を生成する専用の単一プロセッサーまたは複数のプロセッサーである。その上または代りに、プロセッサー要素部４１０はＲＮＣユニット４００の一以上の要素部を制御するように設定される。
【００２５】
別の形態では、メモリー要素部４２０はプロセッサー要素部４１０と連結され、そしてプロセッサー要素部４１０によって実行されるコンピューター可読命令を記憶するように設定される。メモリー要素部４２０はまた識別コード要素部４３０、設定要素部４４０、受信要素部４５０、タグ付け要素部４６０、及び／または送信要素部４７０のいずれかによって生成されたデータを含む複数の他形式のデータのいずれでも記憶するように設定される。メモリー要素部４２０はランダム・アクセス・メモリー、電池支援のメモリー、ハードディスク、磁気テープ等として含め、いくつかの異なる設定で設定される。また圧縮及び自動バックアップといった（例えば、独立ドライブ設定の冗長アレイの使用）、様々な特徴はメモリー要素部４２０上で実施される。
【００２６】
例示したように、ＲＮＣユニット４００はまた識別コード要素部４３０を含む。そのような実施例の中で、識別コード要素部４３０は稼働集合における各基地局に関する唯一の識別コードを生成するように設定される。ここで、識別コードのビット長は稼働集合における基地局の数に比例するように設計される（例えば、２−ビットは４基地局を持つ稼働集合について使用される）ことに注目すべきである。
【００２７】
一形態では、設定要素部４４０はＭＡＣ−ＦＣＳによるＨＳ−ＤＳＣＨ操作のための稼働集合においてＵＥ及びセルを事前設定するためのデータを提供するように設定される。この目的に対して、設定要素部４４０はそのようなデータを記憶し、且つ／または生成するように設定され、そこではＵＥ設定データの形態は基地局設定データとは異なる。例えば、ＵＥに関するデータは各々の基地局に関する識別コード；基地局の信号品質を決定するための命令（例えば、連続的／定期的に各基地局から信号を標本化するための命令）；及びハンドオーバーを完了するための命令（例えば、ハンドオーバー手続きを取止めるための時間閾値）を含む。一方、各基地局に関する設定データは基地局に割当てられた特定の識別コード、及びデータ・パケットを廃棄するための命令（例えば、既にＵＥに受取られたデータ・パケットを廃棄するための命令）を含む。
【００２８】
別の形態では、受信要素部４５０及び送信要素部４７０はプロセッサー要素部４１０に連結され、そしてＲＮＣユニット４００を外部の実体と相互接続するように設定される。例えば、受信要素部４５０はコア通信ネットワークからデータ・パケットを受取るように設定され、一方、送信要素部４７０は記憶／生成された設定データと同様に、受信データ・パケットを稼働集合における基地局のいずれかに送信するように設定される。
【００２９】
なお別の形態では、ＲＮＣユニット４００はさらにタグ付け要素部４６０を含む。そのような実施例の中で、タグ付け要素部４６０は基地局に送信の前に各データ・パケットを系列番号で持つタグ付けする。さらに、データ・パケットが特定の順序で各基地局に一様に送信されるので、各データ・パケットはその順番で各データ・パケットの連続位置を識別する系列番号を含めるようにタグ付けされる。
【００３０】
図５に転じると、無線通信環境におけるＨＳＰＡサービス・セルの切換えを容易にするシステム５００が例示される。例えば、システム５００は無線ネットワーク制御器の中に在駐する。図示したように、システム５００はプロセッサー、ソフトウェア、またはその組合せ（例えば、ファームウェア）によって実施される機能を表す機能ブロックを含む。システム５００は結合で作動する電気要素部の論理集団５０２を含む。例示したように、論理集団５０２はアクセス端末に関する稼働集合を含む基地局を識別するための電気要素部５１０を含む。さらに、論理集団５０２は稼働集合における各基地局に関する識別コードを生成するための電気要素部５１２を含む。論理集団５０２はまたデータ・パケットを各基地局に送信するための電気要素部５１６と同様に、アクセス端末及び基地局を事前設定するための電気要素部５１４を含み、そこでは各データ・パケットは系列番号によってタグ付けされる。その上、システム５００は、電気要素部５１０、５１２、５１４、及び５１６と関連する機能を実行するための命令を保持するメモリー５２０を含む。メモリー５２０の外部にあるとして示されているが、電気要素部５１０、５１２、５１４、及び５１６はメモリー５２０の中に存在することは理解されることである。
【００３１】
図６を参照すると、実施例による典型的な基地局ユニットのブロック図が提供される。例示したように、基地局ユニット６００はプロセッサー要素部６１０、メモリー要素部６２０、受信要素部６３０、送信要素部６４０、バッファー要素部６５０、及びタイミング要素部６６０を含む。
【００３２】
ＲＮＣユニット４００におけるプロセッサー要素部４１０と同様に、プロセッサー要素部６１０は複数の機能のいずれでも行うことに関係するコンピューター可読命令を実行するように設定される。プロセッサー要素部６１０は基地局ユニット６００から通信される情報を解析し、且つ／またはメモリー要素部６２０、受信要素部６３０、送信要素部６４０、バッファー要素部６５０、及びタイミング要素部６６０によって利用される情報を生成する専用の単一プロセッサーまたは複数のプロセッサーである。その上または代りに、プロセッサー要素部６１０は基地局ユニット６００の一以上の要素部を制御するように設定される。
【００３３】
別の形態では、メモリー要素部６２０はプロセッサー要素部６１０と連結され、そしてプロセッサー要素部６１０によって実行されるコンピューター可読命令を記憶するように設定される。メモリー要素部６２０は受信要素部６３０、送信要素部６４０、バッファー要素部６５０、及び／またはタイミング要素部６６０のいずれかによって生成されたデータを含む複数の他の形式のいずれでも記憶するように設定される。ここで、メモリー要素部６２０はＲＮＣ４００におけるメモリー要素部４２０に類似していることを注目すべきである。従って、メモリー要素部４２０の前述の機能／設定のいずれもまたメモリー要素部６２０に適用できることを認識すべきである。
【００３４】
一形態では、受信要素部６３０及び送信要素部６４０はプロセッサー要素部６１０に連結され、そして基地局ユニット６００を外部の実体と相互接続するように設定される。例えば、受信要素部６３０はＲＮＣからデータ・パケット及び設定データを受取るように設定され、一方、送信要素部６４０は受信データ・パケットを特定のＵＥに送信するように設定される。
【００３５】
例示したように、基地局ユニット６００はまたバッファー要素部６５０を含む。そのような実施例の中で、バッファー要素部６５０はＲＮＣから受取られた各々のデータ・パケットを連続してバッファーするように設定される。ここで、バッファー要素部６５０のバッファー・サイズは基地局の間で変動するけれども、各基地局の実際のバッファー処理は稼働集合更新手続きの間に（即ち、ＲＮＣによって提供された設定データを介して）提供される命令に従って同期化される。例えば、各基地局はその対応する系列番号に従って各データ・パケットを連続してバッファーするように指示され、そこでは各データ・パケットは各ＰＤＵにおいて提供された情報（例えば、どのデータ・パケットが各ＵＥによって既に受取られていたかを示す情報）に従って一様に廃棄される。
【００３６】
基地局ユニット６００はまたタイミング要素部６６０を含む。一形態では、タイミング要素部６６０は起点基地局がデータ・パケットを特定のＵＥに送信するのを中止すべき時を決定するように設定される。例えば、異なる基地局を識別するＰＤＵを受取るとデータ・パケットを送信することを単に中止するよりむしろ、基地局ユニット６００はＡＣＫ／ＮＡＣＫ信号がもはやＵＥから受信されなくなるまで（ハンドオーバーが不成功の場合に）データ・パケットを送信し続けるように設定される。そのような実施例の中で、タイミング要素部６６０は最後のＡＣＫ／ＮＡＣＫ信号が受信されてから時間の閾量が経過したかどうかを決定するために起点基地局によって利用される。
【００３７】
次に図７を参照すると、無線通信環境においてＨＳＰＡサービス・セルの切換えを容易にする別のシステム７００が例示される。例えば、システム７００は基地局の中に在駐する。システム５００と同様に、システム７００はプロセッサー、ソフトウェア、またはその組合せ（例えば、ファームウェア）によって実施される機能を表す機能ブロックを含み、そこではシステム７００は結合で作動する電気要素部の論理集団７０２を含む。例示したように、論理集団７０２はＲＮＣから設定データを受取るための電気要素部７１０を含む。さらに、論理集団７０２はＲＮＣから受取られたデータ・パケットをバッファーするための電気要素部７１２を含む。論理集団７０２はまたアクセス端末から受取られたＰＤＵを監視するための電気要素部７１４、同様に各ＰＤＵの機能としてデータ・パケットをアクセス端末に送信するための電気要素部７１６を含む。その上、システム７００は電気要素部７１０、７１２、７１４、及び７１６と関連する機能を実行するための命令を保持するメモリー７２０を含み、そこでは電気要素部７１０、７１２、７１４、及び７１６のいずれもメモリー７２０内または外のいずれかに存在する。
【００３８】
図８には、基地局からＨＳＰＡサービス・セルの切換えを容易にするための典型的方法論を例示するフロー・チャートが提供される。例示したように、処理８００はステップ８０５で始まり、そこで基地局がＭＡＣ−ＦＣＳとのＨＳ−ＤＳＣＨ操作のために設定される。一旦設定されると、処理８００はステップ８１０に続き、そこで基地局はＲＮＣからデータ・パケットを、そしてアクセス端末からＰＤＵを受取り始める。ステップ８１２では、基地局はアクセス端末によって要求されたデータ・パケットに対応する系列番号、及びアクセス端末が次のデータ・パケットを受取りたい基地局に対応する識別コードを確認するためにＰＤＵを復号する。一形態では、ステップ８１２のＰＤＵの復号はステップ８１４と同時に行われ、そこでＲＮＣから受取られたデータ・パケットはそれらのそれぞれの系列番号に従って連続してバッファーされる。特定の基地局バッファー・サイズ及び／または設定を介してＲＮＣによって提供された命令に応じて、余分なデータ・パケットはそれからステップ８１５で廃棄される。
【００３９】
ステップ８２０で、基地局はそこでそれ自身の識別コードが受信ＰＤＵにおいてコード化されたかどうかを判定する。ＰＤＵが本当に基地局を識別したならば、処理８００はそこでステップ８２５に進み、そこでは基地局はデータ・パケットをアクセス端末に送信し始まる／続けるであろう。ここで、基地局はステップ８１２において復号されたＰＤＵにおいて識別されたデータ・パケットによって始まるアクセス端末へ連続してデータ・パケットを送信するであろうことを認識すべきであり、そこではステップ８２５におけるデータ・パケットの送信は（サービス・セルにおいて発生した変更を仮定して）アクセス端末への暗黙のハンドオーバー命令を設定する一旦、データ・パケットがステップ８２５において送信され始めていると、処理８００はステップ８１０に戻り、基地局はデータ・パケット及びＰＤＵを受取り続ける。
【００４０】
しかしながら、ステップ８２０で基地局がその識別コードがＰＤＵにおいてコード化されなかったことを判定するならば、基地局が起点基地局であるかどうかについて判定がステップ８３０で行われる。基地局が起点でないならば、処理８００はステップ８１０に戻り、そこでは基地局がデータ・パケット及びＰＤＵを受取り続ける。
【００４１】
ステップ８３０において基地局が起点であることが本当に判定されるならば、処理８００はステップ８３５に進み、そこでＡＣＫ／ＮＡＣＫ信号がなおアクセス端末から受取られつつあるかどうかについて判定が行われる。そのような判定は、最後のＡＣＫ／ＮＡＣＫ信号が受信されてから時間の閾量が経過したかどうかを判定することを含み、そこでは閾値はステップ８０５で行われる設定の一部として提供される。ＡＣＫ／ＮＡＣＫ信号がまだ受信されつつあることが判定されるならば、基地局はハンドオーバー処理が完了されなかったと推測し、したがってステップ８２５においてデータ・パケットを送信し続ける。他の場合、ＡＣＫ／ＮＡＣＫ信号がもはや受信されないことが判定されるならば、処理８００はステップ８１０に戻り、そこで基地局はデータ・パケット及びＰＤＵを受取り続ける。
【００４２】
次に図９を参照すると、実施例による典型的なアクセス端末ユニットのブロック図が提供される。例示したように、アクセス端末ユニット９００はプロセッサー要素部９１０、メモリー要素部９２０、受信要素部９３０、信号監視要素部９４０、ＰＤＵコード化要素部９５０、送信要素部９６０、及びタイマー要素部９７０を含む。
【００４３】
ＲＮＣユニット４００におけるプロセッサー要素部４１０及び基地局ユニット６００におけるプロセッサー要素部６１０と同様に、プロセッサー要素部９１０は複数の機能のいずれかを行うことに関係するコンピューター可読命令を実行するように設定される。プロセッサー要素部９１０はアクセス端末ユニット９００から通信される情報を解析し、且つ／またはメモリー要素部９２０、受信要素部９３０、信号監視要素部９４０、ＰＤＵコード化要素部９５０、送信要素部９６０、及びタイマー要素部９７０によって利用される情報を生成する専用の単一プロセッサーまたは複数のプロセッサーである。その上または代りに、プロセッサー要素部９１０はアクセス端末ユニット９００の一以上の要素部を制御するように設定される。
【００４４】
別の形態では、メモリー要素部９２０はプロセッサー要素部９１０と連結され、そしてプロセッサー要素部９１０によって実行されたコンピューター可読命令を記憶するように設定される。メモリー要素部９２０はまた受信要素部９３０、信号監視要素部９４０、ＰＤＵコード化要素部９５０、送信要素部９６０、及びタイマー要素部９７０のいずれかによって生成されたデータを含む複数の他の形式のデータのいずれも記憶するように設定される。ここで、メモリー要素部９２０はＲＮＣユニット４００におけるメモリー要素部４２０及び基地局ユニット６００におけるメモリー要素部６２０に類似することを再び注目すべきである。従って、メモリー要素部４２０及び６２０の前述の機能／設定のいずれもまたメモリー要素部９２０に適用できることを認識すべきである。
【００４５】
一形態では、受信要素部９３０及び送信要素部９４０はプロセッサー要素部９１０に連結され、そしてアクセス端末ユニット９００を外部の実体と相互接続するように設定される。例えば、受信要素部９３０は起点基地局から設定データ及びデータ・パケットを受取るように設定され、一方、送信要素部９４０はＰＤＵを稼働集合における各基地局に送信するように設定される。
【００４６】
例示したように、アクセス端末ユニット９００はまた信号監視要素部９４０を含む。そのような実施例の中で、信号監視要素部９４０は稼働集合における各基地局について相対的な信号品質を確認するために基地局からの信号を監視するように設定される。ここで、信号監視要素部９４０は当技術分野で既知の複数の方法のいずれかで基地局信号を監視し、そこでは特定の監視命令は稼働集合更新手続きの間に（即ち、ＲＮＣによって提供される設定データを介して）提供されることを注目すべきである。例えば、そのような命令は特定の標本化率（sampling rate）で各基地局からの信号を連続的／定期的に標本化するための命令を含む。
【００４７】
アクセス端末ユニット９００はさらにＰＤＵコード化要素部９５０を含む。一形態では、ＰＤＵコード化要素部９５０は受取られる次のデータ・パケットの系列番号を確認するために受信データ・パケットを監視するように設定される。ＰＤＵコード化要素部９５０はまたどの基地局アクセス端末ユニット９００がデータ・パケットを受取りたいかを識別するために信号監視要素部９４０からのデータを利用するように設定される。続いて所望されるパケット及び好ましい基地局を識別することによって、ＰＤＵコード化要素部９５０はそこで対応する系列番号及び対応する識別コードを含めるためにＰＤＵをコード化する。
【００４８】
アクセス端末ユニット９００はまたタイマー要素部９７０を含む。一形態では、タイマー要素部９７０は特定のハンドオーバー手続きが取止められるべきかどうかを決定するように設定される。本当に、目標基地局を識別するＰＤＵが目標基地局によって受取られないならば、アクセス端末ユニット９００は目標基地局からデータ・パケットを受取らないであろう（即ち、アクセス端末ユニット９００は目標基地局から暗黙のハンドオーバー命令を受取らなかったであろう）。そのような窮地を克服するために、データ・パケットが時宜を得た方法で目標基地局から受取られないならば、アクセス端末ユニット９００はハンドオーバー手続きを取止めるように事前設定される。そのような実施例の中で、タイマー要素部９７０は時間の閾量が目標基地局からデータ・パケットを受取る前に経過したかどうかを決定するために利用される。
【００４９】
次に図１０を参照すると、無線通信環境においてＨＳＰＡサービス・セルの切換えを容易にするなお別のシステム１０００が例示される。例えば、システム１０００はアクセス端末の中に在駐する。システム５００及び７００と同様に、システム１０００はプロセッサー、ソフトウェア、またはその組合せ（例えば、ファームウェア）によって実施される機能を表す機能ブロックを含み、そこではシステム１０００は結合で作動する電気要素部の論理集団１００２を含む。例示したように、論理集団１００２は稼働集合における基地局に割当てられた識別コードを含む設定データを受取るための電気要素部１０１０、及び起点基地局からデータ・パケットを受取るための電気要素部１０１２を含む。さらに、論理集団１００２は信号品質の機能として目標基地局を選択するための電気要素部１０１４、同様に目標基地局の識別コード及び次のデータ・パケットの系列番号によってコード化されたＰＤＵを各基地局に送信するための電気要素部１０１６を含む。論理集団１００２はまたデータ・パケットが目標基地局から受取られるかどうかの機能としてハンドオーバー手続きを完了するための電気要素部１０１８を含む。その上、システム１０００は電気要素部１０１０、１０１２、１０１４、及び１０１６と関連する機能を実行するための命令を保持するメモリー１０２０を含み、そこでは電気要素部１０１０、１０１２、１０１４、及び１０１６のいずれもメモリー１０２０の内または外に存在する。
【００５０】
図１１には、アクセス端末からＨＳＰＡサービス・セルの切換え容易にするための典型的な方法論を例示するフロー・チャートが提供される。例示したように、処理１１００はステップ１１０５で始まり、そこでアクセス端末がＭＡＣ−ＦＣＳによるＨＳ−ＤＳＣＨ動作に設定される。一旦設定されると、アクセス端末はステップ１１１０において起点基地局から連続的にデータ・パケットを受取り始め、そこでは各々のデータ・パケットは系列におけるデータ・パケットの順序を識別する系列番号によってタグ付けされる。
【００５１】
処理１１００はステップ１１１５において続き、そこでアクセス端末が稼働集合における各基地局の信号強度を監視する。ステップ１１２０で、アクセス端末はそこでそれが現在のサービス・セルの基地局からさらに高品質の信号を受信しているかどうかを判定する。現在のサービス・セルの信号品質が本当に最良であるならば、処理１１００はステップ１１１０に戻り、そこでアクセス端末は起点基地局からデータ・パケットを受取り続ける。
【００５２】
しかしながら、現在のサービス・セルの信号品質が最良でないならば、処理１１００はステップ１１２５に進み、そこでＰＤＵがコード化される。ここで、そのようなＰＤＵは高品質信号を持つ基地局（即ち、目標基地局）に対応する識別コード、及びアクセス端末よって所望される次のデータ・パケットに対応する系列番号によってコード化されるであろう。コード化ＰＤＵはそこでステップ１１３０で稼働集合における各基地局に送信される。
【００５３】
ステップ１１３５で、ＰＤＵにおいて識別されたデータ・パケットが時宜を得た方法で目標基地局から受取られるかどうかについて判定が行われる。データ・パケットを受取るための時間の閾量が経過したならば、ハンドオーバー処理はステップ１１４０で取止められ、そして処理１１００はステップ１１１０で元の起点からデータ・パケットを受取るために戻る。
【００５４】
しかしながら、要求されたデータ・パケットが目標基地局から時宜的に受取られるならば、ハンドオーバーはステップ１１４５で完了される。ステップ１１５０で、処理１１００は目標基地局を介して受取られる次のデータ・パケットで続ける。処理１１００はそこでステップ１１１５に戻り、そこでアクセス端末は稼働集合における各基地局の信号強度を監視し続ける。
【００５５】
次に図１２〜１３を参照すると、開示された実施例による現行のサービス・セル変更手続きをＭＡＣに基づくサービス・セル変更手続きと比較する典型的な信号フローがそれぞれ提供される。この目的に対して、図１２における信号フローが現行の非同期サービス・セル手続きと対応することを注目すべきである。即ち、図１２に例示された手続きはＲＲＣ（radio resource control（無線資源制御））プロトコルに基づいており、それはその高い待ち時間（即ち、信号フローはＲＮＣを巡回する必要がある）の主要な理由である。この高い待ち時間は、ハンドオーバー命令（即ち、図１２におけるメッセージ６）が起点セルから届けられるという事実と共に、この手続きの低信頼性の重要な理由であると識別されてきた。
【００５６】
図１２を図１３と比較することによって見られるように、提案手法はＨＳＰＡサービス・セル変更手続きの待ち時間（従って、信頼性）を非常に減少させる。この改良動作特性の重要な理由は開示されたＭＡＣ−ＦＣＳ手続きの終了点（termination point）がＲＮＣに留まる代りにノードＢにおいて下がっていることである。理論上、どちらの稼働集合におけるどのノードＢが特定のＵＥのＲＬＣ−ＵＭフローに現在サービスしているかをＲＮＣは知るべきでさえない。
【００５７】
提案手法の簡潔な概要はここに図１３に例示された信号フローを考慮して提供される。一形態では、稼働集合更新手続きの間に、ＲＮＣはＵＥ及びＭＡＣ−ＦＣＳによるＨＳ−ＤＳＣＨ動作（簡単にするために、時折ＭＡＣ−ＦＣＳ動作と呼ばれる）のために稼働集合におけるセルを事前設定する。代りに、稼働集合におけるセルの一部のみがＭＡＣ−ＦＣＳ動作のために事前設定されるであろう。そのような場合には、ＭＡＣ−ＦＣＳ集合はＭＡＣ−ＦＣＳ動作のために設定された稼働集合におけるセルの部分集合として定義されるであろう。
【００５８】
稼働集合における非サービス・セルの信号品質が現在のサービス・セルの信号品質より良くなるとき、ＵＥはネットワークにサービス・セル変更を要求するために新しく定義されたセル切換ＭＡＣ制御ＰＤＵ（Cell Switch MAC Control PDU）を送信する。ここで、目標セルはセル切換ＭＡＣ制御ＰＤＵにおいて稼働集合セルＩＤフィールドを用いて示され、そこでは稼働集合セルＩＤは稼働集合における特定のセルを指示する。一形態では、ＨＳＰＡについて最大稼働集合サイズは４であるので、わずか２ビットが必要とされる。
【００５９】
新しい事象はセル切換ＭＡＣ制御ＰＤＵの送信を始動するために規格の中に定義されることをまた注目すべきである。一つの実施例では、異なるパラメーター設定が許容されるようにその事象は設定可能である。例えば、設定される典型的なパラメーターは閾値、フィルタリング、ヒステリシス、及び始動時間（time-to-trigger）を含む。ここで、セル切換ＭＡＣ制御ＰＤＵの信頼性は送信電力を増大することによって、或いは無線でメッセージの送信を繰返すことによって改善されることをさらに注目すべきである。
【００６０】
一旦、セル切換ＭＡＣ制御ＰＤＵが送信されてしまうと、ＵＥはサービス・セル変更確認（即ち、暗黙のハンドオーバー命令）のために目標セルの予定計画チャネルを監視し始める。しかしながら、この段階の間に、ＵＥは起点セルからデータを受取り続ける。セル切換ＭＡＣ制御ＰＤＵは稼働集合における全てのセルによって復号される。一形態では、稼働集合におけるセルはそれらがＭＡＣ−ＦＣＳ動作のために事前設定されるとき、 それらの稼働集合セルＩＤを学習する。
【００６１】
いくつかの実施例について、目標セルがセル切換ＭＡＣ制御ＰＤＵを旨く復号する（従ってサービス・セル変更を認める）ならば、 目標セルはＵＥがサービス・セルを切換えたことをＲＮＣに通知するために経路切換えメッセージ（Path Switch message）をＩｕｂ上で公表する。経路切換えメッセージを受取ると、ＲＮＣは起点セルへの下り回線データ送信を停止し、そして目標セルへの下り回線データ送信を開始する。しかしながら、経路切換えメッセージはネットワークがデータ２進割当てを実行するフローについて任意である。そのステップは全ての他のフローについて任意であるとは限らない。
【００６２】
図１４は多数のユーザーを支援するために設定された典型的な無線通信システム１４００を例示し、その中で開示された様々な実施例及び形態が実施される。図１４に示したように、一例として、システム１４００は対応するアクセス点（access point：ＡＰ）１４０４（例えば、ＡＰ １４０４ａ〜１４０４ｇ）によるサービスを受ける各セルと共に、例えば、マクロ・セル１４０２ａ〜１４０２ｇのような多数のセル１４０２に通信を提供する。各セルはさらに一以上のセクターに分割される。様々なアクセス端末（ＡＴ）１４０６はＡＴ １４０６ａ〜１４０６ｋを含み、ユーザー設備（ＵＥ）として互換的にまた知られているが、システム全体に分散される。例えば、ＡＴが稼働しているかどうか、そしてそれがソフト・ハンドオフにあるかどうかに応じて、各ＡＴ １４０６は所定の時間に順方向回線（ＦＬ）及び／または逆方向回線（ＲＬ）上で一以上のＡＰ １４０４と通信する。例えば、無線通信システム１４００は大きな地理的領域上でサービスを提供し、マクロ・セル１４０２ａ〜１４０２ｇは近隣における二、三のブロックを被包する。
【００６３】
図１５を参照すると、様々な形態に従って実施される典型的通信システム１５００は多数のセル：セルＩ １５０２、セルＭ １５０４を含めて提供される。ここで、近隣のセル１５０２、１５０４は、セル境界領域１５６８によって示したように、僅かに重なり合い、それによって近隣のセルにおける基地局によって送信される信号の間で信号干渉の可能性を引き起こすことを注目すべきである。システム１５００の各セル１５０２、１５０４は三つのセクターを含む。多数のセクターに細分化されなかったセル（Ｎ＝１）、二つのセクターを持つセル（Ｎ＝２）、及び三つ以上のセクターを持つセル（Ｎ＞３）もまた様々な形態に従って可能である。セル１５０２は第一セクター、セクターＩ １５１０、第二セクター、セクターＩＩ １５１２、及び第三セクター、セクターＩＩＩ １５１４を含む。各セクター１５１０、１５１２、１５１４は二つのセクター境界領域を持つ；各境界領域は二つの隣接セクターの間で共有される。
【００６４】
セクター境界領域は近隣のセクターにおける基地局によって送信された信号間の信号干渉の可能性をもたらす。線１５１６はセクターＩ １５１０とセクターＩＩ １５１２との間のセクター境界領域を表す；線１５１８はセクターＩＩ １５１２とセクターＩＩＩ １５１４との間のセクター境界領域を表す；線１５２０はセクターＩＩＩ １５１４とセクターＩ １５１０との間のセクター境界領域を表す。同様に、セルＭ １５０４は第一セクター、セクターＩ １５２２、第二セクター、セクターＩＩ １５２４、及び第三セクター、セクターＩＩＩ １５２６を含む。線１５２８はセクターＩ １５２２とセクターＩＩ １５２４との間のセクター境界領域を表す；線１５３０はセクターＩＩ １５２４とセクターＩＩＩ １５２６との間のセクター境界領域を表す；線１５３２はセクターＩＩＩ １５２６とセクターＩ １５２２との間のセクター境界領域を表す。セルＩ １５０２は基地局（ＢＳ）、基地局Ｉ １５０６、及び各セクター１５１０、１５１２、１５１４において複数の末端ノード（end nodes ：ＥＮ）を含む。セクターＩ １５１０は無線回線１５４０、１５４２を介してＢＳ １５０６にそれぞれ連結されたＥＮ（１）１５３６及びＥＮ（Ｘ）１５３８を含む；セクターＩＩ １５１２は無線回線１５４８、１５５０を介してＢＳ １５０６にそれぞれ連結されたＥＮ（１'）１５４４及びＥＮ（Ｘ'）１５４６を含む；セクターＩＩＩ １５１４は無線回線１５５６、１５５８を介してＢＳ １５０６にそれぞれ連結されたＥＮ（１"）１５５２及びＥＮ（Ｘ"）１５５４を含む。同様に、セルＭ １５０４は基地局Ｍ １５０８、及び各セクター１５２２、１５２４、１５２６において複数の末端ノード（ＥＮ）を含む。セクターＩ １５２２は無線回線１５４０'、１５４２'を介してＢＳ Ｍ １５０８にそれぞれ連結されたＥＮ（１）１５３６'及びＥＮ（Ｘ）１５３８'を含む；セクターＩＩ １５２４は無線回線１５４８'、１５５０'を介してＢＳ Ｍ １５０８にそれぞれ連結されたＥＮ（１'）１５４４'及びＥＮ（Ｘ'）１５４６'を含む；セクターＩＩＩ １５２６は無線回線１５５６'、１５５８'を介してＢＳ Ｍ １５０８にそれぞれ連結されたＥＮ（１"）１５５２'及びＥＮ（Ｘ"）１５５４'を含む。
【００６５】
システム１５００はネットワーク回線１５６２、１５６４を介してＢＳ Ｉ １５０６及びＢＳ Ｍ １５０８にそれぞれ連結されるネットワーク・ノード１５６０を含む。ネットワーク・ノード１５６０はまたネットワーク回線１５６６を介して他のネットワーク・ノード、例えば、他の基地局、ＡＡＡサーバー・ノード、中間ノード、ルーター、等、及びインターネットに連結される。ネットワーク回線１５６２、１５６４、１５６６は、例えば、光ファイバー・ケーブルである。各末端ノード、例えば、ＥＮ（１）１５３６は受信器と同様に送信器を含む無線端末である。無線端末、例えば、ＥＮ１  １５３６はシステム１５００を経て移動し、そしてＥＮが現在位置するセルにおける基地局と無線回線を介して通信する。無線端末（ＷＴ）、例えば、ＥＮ（１）１５３６は基地局、例えば、ＢＳ １５０６、及び／またはネットワーク・ノード１５６０を介してピア・ノード、例えば、システム１５００内またはシステム１５００外の他のＷＴと通信する。ＷＴ、例えば、ＥＮ（１）１５３６はセル電話、無線モデムを持つ個人情報機器、等といったモバイル通信デバイスである。それぞれの基地局は帯状シンボル期間（strip-symbol periods）に、トーンを割付けるために採用された方法とは異なる方法を使用し、そして残りシンボル期間、例えば非帯状シンボル期間においてトーン・ホッピングを決定するトーン部分集合割付を行う。無線端末は特定の帯状シンボル期間においてデータ及び情報を受取るために用いるトーンを決定するために、基地局から受取られる情報、例えば、基地局勾配ＩＤ（slope ID）、セクターＩＤ情報と共にトーン部分集合割付方法を使用する。トーン部分集合割付系列はそれぞれのトーンに亘るセクター間及びセル間干渉を拡散させる様々な形態に従って組立てられる。主題のシステムは主としてセル・モードの文脈の中で述べられたが、複数のモードがここに述べた形態に従って利用可能であることを認識すべきである。
【００６６】
図１６は様々な形態による基地局の例１６００を例示する。基地局１６００はそれぞれの異なるセクター形式のセルについて生成されたトーン部分集合割付系列に関して、トーン部分集合割付系列を実施する。基地局１６００は図１５のシステム１５００の基地局１５０６、１５０８のある一つとして使用される。基地局１６００は受信器１６０２、送信器１６０４、プロセッサー１６０６（例えば、ＣＰＵ）、入力／出力インタフェース１６０８及びメモリー１６１０を含み、様々な要素１６０２、１６０４、１６０８、及び１６１０はデータ及び情報を交換するバスによって共に連結される。
【００６７】
受信器１６０２に連結されたセクター化アンテナ１６０３は基地局のセルの中の各セクターからの無線端末送信からデータ及び他の信号、例えば、チャネル通報を受取るために使用される。送信器１６０４に連結されたセクター化アンテナ１６０５はセルの中の各セクター内の無線端末１７００（図１７参照）へデータ及び他の信号、例えば、制御信号、パイロット信号、ビーコン信号、等を送信するために使用される。様々な形態において、基地局１６００は多数の受信器１６０２及び多数の送信器１６０４、例えば、各セクターの受信器１６０２及び各セクターの送信器１６０４を用いる。プロセッサー１６０６は、例えば、多目的中央処理ユニット（central processing unit：ＣＰＵ）である。プロセッサー１６０６はメモリー１６１０に記憶された一以上のルーチン１６１８の指示の下で基地局１６００の動作を制御し、そしてその方法を実施する。Ｉ／Ｏインタフェース１６０８はＢＳ １６００を他の基地局、アクセス・ルーター、ＡＡＡサーバー・ノード等、他のネットワーク、及びインターネットと連結する、他のネットワーク・ノードへの接続を行う。メモリー１６１０はルーチン１６１８及びデータ／情報１６２０を含む。
【００６８】
データ／情報１６２０はデータ１６３６、下り回線帯状シンボル時間情報１６４０及び下り回線トーン情報１６４２を含むトーン部分集合割付系列情報１６３８、複数のＷＴ情報（ＷＴ １情報１６４６及びＷＴ Ｎ情報１６６０）の集合を含む無線端末（ＷＴ）データ／情報１６４４を含む。ＷＴ情報の各集合、例えば、ＷＴ １情報１６４６はデータ１６４８、端末ＩＤ １６５０、セクターＩＤ １６５２、上り回線チャネル情報１６５４、下り回線チャネル情報１６５６、及びモード情報１６５８を含む。
【００６９】
ルーチン１６１８は通信ルーチン１６２２及び基地局制御ルーチン１６２４を含む。基地局制御ルーチン１６２４はスケジューラー・モジュール１６２６、及び帯状シンボル期間に関するトーン部分集合割付ルーチン１６３０、シンボル期間の残り、例えば、非帯状シンボル期間に関する他の下り回線トーン割付ホッピング・ルーチン１６３２、及びビーコン・ルーチン１６３４を含む信号通信ルーチン１６２８を含む。
【００７０】
データ１６３６はＷＴへの送信の前にコード化するために送信器１６０４のコード化器１６１４に送られるであろう送信されるデータ、及び受信に続いて受信器１６０２の復号器１６１２を経て処理されてきたＷＴからの受信データを含む。下り回線帯状シンボル時間情報１６４０はスーパースロット、ビーコンスロット、及びウルトラスロット構造情報といったフレーム同期構造情報及び所定のシンボル期間が帯状シンボル期間であるかどうか、そしてそうであれば、帯状シンボル期間の指数、及び帯状シンボルが基地局によって使用される帯状シンボル割付系列を切り捨てるリセット点であるかを指定する情報を含む。下り回線トーン情報１６４２は基地局１６００に割当てられたキャリア周波数、トーンの数及び周波数、及び帯状シンボルに割当てられるトーン部分集合の集合を含む情報、及び勾配、勾配指数及びセクター形式といった他のセル及びセクター特定値を含む。
【００７１】
データ１６４８はＷＴ１ １７００がピア・ノードから受取ってきたデータ、ＷＴ１ １７００がピア・ノードに送信されることを望むデータ、及び下り回線チャネル品質通報フィードバック情報を含む。端末ＩＤ １６５０はＷＴ１ １７００を識別する基地局１６００割当ＩＤである。セクターＩＤ １６５２はＷＴ１ １７００が動作しているセクターを識別する情報を含む。セクターＩＤ １６５２は、例えば、セクター形式を決定するために使用される。上り回線チャネル情報１６５４は使用するＷＴ１ １７００のスケジューラー１６２６によって割付けられてきたチャネル・セグメント、例えば、データの上り回線トラヒック・チャネル・セグメント、要求、電力制御、タイミング制御、等の専用上り回線制御チャネルを識別する情報を含む。ＷＴ１ １７００に割当てられた各上り回線チャネルは一以上の論理トーンを含み、各論理トーンは上り回線ホッピング系列に続く。下り回線チャネル情報１６５６はＷＴ１ １７００へデータ及び／または情報を搬送するためにスケジューラー１６２６によって割付けられてきたチャネル・セグメント、例えば、ユーザー・データの下り回線トラヒック・チャネル・セグメントを識別する情報を含む。ＷＴ１ １７００に割当てられた各下り回線チャネルは一以上の論理トーンを含み、それぞれは下り回線ホッピング系列に続く。モード情報１６８５はＷＴ１ １７００の動作の状態、例えば、休眠、保留、動作中を識別する情報を含む。
【００７２】
通信ルーチン１６２２は様々な通信動作を行い、そして様々な通信プロトコルを実施するために基地局１６００を制御する。基地局制御ルーチン１６２４は基本的な基地局の機能的タスク、例えば、信号生成及び受信、予定計画を行い、そして帯状シンボル期間の間にトーン部分集合割付系列を使用して信号を無線端末に送信することを含むいくつかの形態の方法のステップを実施するため基地局１６００を制御するために使用される。
【００７３】
信号通信ルーチン１６２８はその復号器１６１２を持つ受信器１６０２及びコード化器１６１４を持つ送信器１６０４の動作を制御する。信号通信ルーチン１６２８は送信データ１６３６及び制御情報の生成を制御する責務を負う。トーン部分割付ルーチン１６３０は形態の方法を使用し、且つ下り回線帯状シンボル時間情報１６４０及びセクターＩＤ １６５２を含むデータ／情報１６２０を使用して帯状シンボル期間に使用されるトーン部分集合を構築する。下り回線トーン部分集合割付系列はセルにおける各セクター形式について異なり、そして隣接セルについて異なるであろう。ＷＴ１ １７００は下り回線トーン部分集合割付系列に従って帯状シンボル期間に信号を受信する；基地局１６００は送信信号を生成するために同じ下り回線トーン部分集合割付系列を使用する。他の下り回線トーン割当ホッピング・ルーチン１６３２は下り回線トーン情報１６４２、及び下り回線チャネル情報１６５６を使用して、帯状シンボル期間以外のシンボル期間に、下り回線トーン・ホッピング系列を構築する。下り回線データ・トーン・ホッピング系列はセルのセクターに亘って同期化される。ビーコン・ルーチン１６３４はビーコン信号、例えば、一つまたは二、三のトーンに集中した比較的に高電力信号の送信を制御し、それは同期化目的、例えば、下り回線信号、ひいてはウルトラ−スロット境界に関するトーン部分集合割付系列を同期化させるために使用される。
【００７４】
図１７は図１５に示したシステム１５００の無線端末（末端ノード）のある一つ、例えば、ＥＮ（１）１５３６として使用される無線端末（末端ノード）の例１７００を例示する。無線端末１７００はトーン部分集合割付系列を実施する。無線端末１７００は復号器１７１２を含む受信器１７０２、コード化器１７１４を含む送信器１７０４、プロセッサー１７０６、及びメモリー１７０８を含み、それらは様々な要素１７０２、１７０４、１７０６、１７０８がデータ及び情報を交換するバス１７１０によって共に連結される。基地局（及び／または異なる無線端末）から信号を受信するために使用されるアンテナ１７０３は受信器１７０２に連結される。信号を、例えば、基地局（及び／または異なる無線端末）へ送信するために使用されるアンテナ１７０５は送信器１７０４に連結される。
【００７５】
プロセッサー１７０６、例えば、ＣＰＵは無線端末１７００の動作を制御し、そしてルーチン１７０２を実行し、且つメモリー１７０８中のデータ／情報１７２２を使用することによって方法を実施する。
【００７６】
データ／情報１７２２はユーザー・データ１７３４、ユーザー情報１７３６、及びトーン部分集合割付系列情報１７５０を含む。ユーザー・データ１７３４はピア・ノード向けのデータ（それは送信器１７０４による基地局への送信の前にコード化のためのコード化器１７１４に送られる）、及び受信器１７０２の復号器１７１２によって処理されてきた基地局から受信されたデータを含む。ユーザー情報１７３６は上り回線チャネル情報１７３８、下り回線チャネル情報１７４０、端末ＩＤ情報１７４２、基地局ＩＤ情報１７４４、セクターＩＤ情報１７４６、及びモード情報１７４８を含む。上り回線チャネル情報１７３８は基地局に送信しているとき使用する無線端末１７００に基地局によって割当てられてきた上り回線チャネル・セグメントを識別する情報を含む。上り回線チャネルは上り回線トラヒック・チャネル、専用上り回線制御チャネル（例えば、要求チャネル）、電力制御チャネル及びタイミング制御チャネルを含む。各上り回線チャネルは一以上の論理トーンを含み、各論理トーンは上り回線トーン・ホッピング系列に続く。上り回線ホッピング系列はセルの各セクター形式の間で、そして隣接セルの間で異なる。下り回線チャネル情報１７４０は基地局がデータ／情報をＷＴ１ １７００に送信しているとき、使用のＷＴ１ １７００に基地局によって割当てられてきた下り回線チャネル・セグメントを識別する情報を含む。下り回線チャネルは下り回線トラヒック・チャネル及び割当チャネルを含み、各下り回線は一以上の論理トーンを含み、各論理トーンは下り回線ホッピング系列（それはセルの各セクターの間で同期化される）に続く。
【００７７】
ユーザー情報１７３６はまた基地局割当識別子である端末ＩＤ情報１７４２、ＷＴが通信を確立した特定の基地局を識別する基地局ＩＤ情報１７４４、及びＷＴ１ １７００が現在位置しているセルの特定のセクターを識別するセクターＩＤ情報１７４６を含む。基地局ＩＤ情報１７４４はセル勾配値を提供し、そしてセクターＩＤ情報１７４６はセクター指数形式を提供する；セル勾配値及びセクター指数形式はトーン・ホッピング系列を得るために使用される。ユーザー情報１７３６に同じく含まれるモード情報１７４８はＷＴ１ １７００が休眠モード、保留モード、または動作モードにあるかどうかを識別する。
【００７８】
トーン部分集合割付系列情報１７５０は下り回線帯状シンボル時間情報１７５２及び下り回線トーン情報１７５４を含む。下り回線帯状シンボル時間情報１７５２はスーパースロット、ビーコンスロット、及びウルトラスロット構造情報といったフレーム同期構造情報及び所定のシンボル期間が帯状シンボル期間であるかどうか、そしてそうであれば、帯状シンボル期間の指数、及び帯状シンボルが基地局によって使用されるトーン部分集合割付系列を切り捨てるリセット点であるかを指定する情報を含む。下り回線トーン情報１７５４は基地局に割当てられたキャリア周波数、トーンの数及び周波数、及び帯状シンボルに割当てられるトーン部分集合の集合を含む情報、及び勾配、勾配指数及びセクター形式といった他のセル及びセクター特定値を含む。
【００７９】
ルーチン１７２０は通信ルーチン１７２４及び無線端末制御ルーチン１７２６を含む。通信ルーチン１７２４はＷＴ１ １７００によって使用される様々な通信プロトコルを制御する。無線端末制御ルーチン１７２６は受信器１７０２及び送信器１７０４の制御を含む基本無線端末１７００機能を制御する。無線端末制御ルーチン１７２６は信号通信ルーチン１７２８を含む。信号通信ルーチン１７２８は帯状シンボル期間のトーン部分集合割付ルーチン１７３０及びシンボル期間の残り、例えば、非帯状シンボル期間の他の下り回線トーン割付ホッピング・ルーチン１７３２を含む。トーン部分集合割付ルーチン１７３０はいくつかの形態に従って下り回線トーン部分集合割付系列を生成し、且つ基地局から送信された受信データを処理するために下り回線チャネル情報１７４０、基地局ＩＤ情報１７４４（例えば、勾配指数及びセクター形式）、及び下り回線トーン情報１７５４を使用する。他の下り回線トーン割付ホッピング・ルーチン１７３０は帯状シンボル期間以外のシンボル期間について下り回線トーン情報１７５４、及び下り回線チャネル情報１７４０を含む情報を使用して、下り回線トーン・ホッピング系列を構築する。トーン部分集合割付ルーチン１７３０はプロセッサー１７０６によって実行されるとき、無線端末１７００が基地局１５００から一以上の帯状シンボル信号をいつ、そしてどちらのトーン上で受取るべきかを決定するために使用される。上り回線トーン割付ホッピング・ルーチン１７３０はそれが送信すべきトーンを決定するために、基地局から受取られる情報と共にトーン部分集合割付機能を使用する。
【００８０】
一以上の典型的な実施例において、記述された機能はハードウェア、ソフトウェア、ファームウェア、またはそのいずれかの組合せで実施される。ソフトウェアにおいて実施されるならば、その機能はコンピューター可読メディア上に一以上の命令またはコードとして記憶され、或いは送信される。コンピューター可読メディアは一つの場所から別の場所へのコンピューター・プログラムの移動を容易にする任意のメディアを含むコンピューター記憶メディア及び通信メディアの両方を含む。記憶メディアはコンピューターによってアクセスされる任意の利用可能なメディアである。一例として、制限ではなく、そのようなコンピューター可読メディアはＲＡＭ、ＲＯＭ、 ＥＥＰＲＯＭ、ＣＤ−ＲＯＭ、または他の光ディスク記憶、磁気ディスク記憶または他の磁気記憶デバイス、または命令またはデータ構造の形で所望のプログラム・コードを運び、または記憶し、そしてコンピューターによってアクセスされる任意の他のメディアを含む。同じく、任意の接続は適切にコンピューター可読メディアと称される。例えば、ソフトウェアが同軸ケーブル、光ファイバー・ケーブル、撚り対線（twisted pair）、ディジタル加入者回線（ＤＳＬ）、或いは赤外線、無線、及びマイクロ波といった無線技術を使用してウェブサイト、サーバー、または他の遠隔源から送信されるならば、同軸ケーブル、光ファイバー・ケーブル、撚り対線、ＤＳＬ、或いは赤外線、無線、及びマイクロ波といった無線技術はメディアの定義に含まれる。ここに使用されるディスク及びディスク類はコンパクト・ディスク（ＣＤ）、レーザー・ディスク、光ディスク、ディジタル多用途ディスク（ＤＶＤ）、フロッピー（登録商標）・ディスク及びブルーレイ・ディスクを含み、そこではディスクは通常データを磁気的に再生し、一方、ディスクはレーザによってデータを光学的に再生する。前述の組合せはまたコンピューター可読メディアの範囲内に含まれるべきである。
【００８１】
実施例がプログラム・コードまたはコード・セグメントにおいて実施されるとき、コード・セグメントは手続き、機能、サブプログラム、プログラム、ルーチン、サブルーチン、モジュール、ソフトウェア・パッケージ、クラス、または命令、データ構造、またはプログラム記述の任意の組合せを表すことを認識すべきである。コード・セグメントは情報、データ、引数、パラメーター、またはメモリー内容を渡し、そして／または受取ることによって別のコード・セグメントまたはハードウェア回路と連結される。情報、引数、パラメーター、データ、等はメモリー共有、メッセージ移転、トークン移転、ネットワーク送信、等を含む任意の適切な手段を用いて移転され、転送され、或いは送信される。その上、いくつかの形態では、方法またはアルゴリズムのステップ及び／または作用はマシン可読メディア及び／またはコンピューター可読メディア上にコード及び／または命令の一つまたは任意の組合せまたは集合として在駐する。
【００８２】
ソフトウェア実施について、ここに述べた技術はここに述べた機能を果たすモジュール（例えば、手続き、機能、等々）によって実施される。ソフトウェア・コードはメモリー・ユニットに記憶され、そしてプロセッサーによって実行される。メモリー・ユニットはプロセッサーの中または外部に実装され、後者の場合は当技術分野で既知の様々な手段によってプロセッサーに通信的に連結される。
【００８３】
ハードウェア実施について、処理ユニットは一以上の特定用途向け集積回路（ＡＳＩＣ）、ディジタル信号プロセッサー（ＤＳＰ）、ディジタル信号処理デバイス（ＤＳＰＤ）、プログラマブル論理デバイス（ＰＬＤ） 、フィールド・プログラマブル・ゲートアレイ（ＦＰＧＡ）、プロセッサー、コントローラー、マイクロコントローラー、マイクロプロセッサー、ここに述べた機能を行うために設計された他の電子ユニット、またはその組合せの中で実施される。
【００８４】
上記に述べてきたことは一以上の実施例の例を含む。勿論、前述の実施例を述べる目的のために要素部または方法論の全ての考えられる組合せを述べることはできないが、当業者は様々な実施例の多くのさらなる組合せ及び配列が可能であることを認識する。従って、記述した実施例は付加された請求項の精神及び範囲の中に収まる全てのそのような変更、修正、及び変形を受入れることを意味する。さらに、用語「含む（includes）」が詳細な説明（「発明を実施するための形態」）または請求項のいずれかで使用される範囲で、「含む（comprising）」が請求項において中間形態（transitional）語として使用される時に解釈されるように用語「含む（comprising）」に類似の意味でそのような用語は包括的であることを意味する。
【００８５】
ここに使用したように、用語「推論する（infer）」または「推論（inference）」は一般に事象及び／またはデータによって獲得された一組の観測からシステム、環境、及び／またはユーザーの状態を判断または推論する過程を云う。例えば、推論は特定の文脈または働きを識別するために用いられ、或いは状態に関する確率分布を生成する。推論は確率的である−即ち、データ及び事象の考察に基づく関心の状態に関する確率分布の計算である。推論はまた一組の事象及び／またはデータから高レベルの事象を設定するために用いられる技術を云う。そのような推論は、事象が時間的に密に近接して相関しているか否かに拘らず、そして事象及データが一つまたはいくつかの事象及びデータ源から来ているかどうかに拘らず、一組の観察事象及び／または記憶事象データからの新しい事象または作用の設定をもたらす。
【００８６】
さらに、このアプリケーションにおいて使用されたように、用語「要素部（component）」、「モジュール」、「システム」、等はコンピューター関連の実体、ハードウェア、ファームウェア、ハードウェアとソフトウェアの組合せ、ソフトウェア、または実行中のソフトウェアのいずれかを参照することを意味している。例えば、要素部（component）はプロセッサー上で実行する処理、プロセッサー、対象（object）、実行ファイル（executable）、実行スレッド、プログラム、及び／またはコンピューターであるが、それに制限されない。例示によって、計算デバイス上で実行するアプリケーション及び計算デバイスの両者は要素部である。一以上の要素部は処理及び／または実行スレッド内に在駐し、そして要素部は一つのコンピューターに局在し、且つ／または二つ以上のコンピューター間に分散される。その上、これらの要素部はそこに記憶された様々なデータ構造を持つコンピューター可読メディアから実行する。要素部は一以上のデータ・パケット（例えば、局在システム、分散システムにおける別の要素部と、且つ／またはインターネットのようなネットワークを通して信号によって他のシステムと相互作用する一つの要素部からのデータ）を持つ信号に例えば従って局在及び／または遠隔処理によって通信する。
【図１】
2011515966.tif 000003
【図２】
2011515966.tif 000004
【図３】
2011515966.tif 000005
【図４】
2011515966.tif 000006
【図５】
2011515966.tif 000007
【図６】
2011515966.tif 000008
【図７】
2011515966.tif 000009
【図８】
2011515966.tif 000010
【図９】
2011515966.tif 000011
【図１０】
2011515966.tif 000012
【図１１】
2011515966.tif 000013
【図１２】
2011515966.tif 000014
【図１３】
2011515966.tif 000015
【図１４】
2011515966.tif 000016
【図１５】
2011515966.tif 000017
【図１６】
2011515966.tif 000018
【図１７】
2011515966.tif 000019
【手続補正書】
【提出日】平成23年1月28日(2011.1.28)
【手続補正１】
【補正対象書類名】明細書
【補正対象項目名】００１９
【補正方法】変更
【補正の内容】
【００１９】
図１を参照すると、実施例によりＨＳＰＡサービス・セルの切換えを容易にするための典型的な無線通信システムの例示が提供される。例示したように、システム１００はコア・ネットワーク１１０及び稼働集合中の複数の基地局１３０及び１３２の各々と通信している無線ネットワーク制御器（ＲＮＣ）１２０を含む。そのような実施例の中で、ＲＮＣ １２０はコア・ネットワーク１１０から下り回線データ・パケットを受取り、そして基地局１３０及び１３２を介してそれらをＵＥ １４０に中継する。この特定の例について、基地局１３０は現在の起点基地局であることが示されているが、ＵＥ １４０は続いてセル変更を基地局１３２の一つへ要求するかもしれない。ここで、ＨＳＰＡプロトコルは稼働集合の基地局の数を４に制限することを注目すべきである。それでもなお、開示の主題は基地局の特定の数に全く制限されないことをさらに注目すべきである。
【手続補正２】
【補正対象書類名】明細書
【補正対象項目名】００４５
【補正方法】変更
【補正の内容】
【００４５】
一形態では、受信要素部９３０及び送信要素部９６０はプロセッサー要素部９１０に連結され、そしてアクセス端末ユニット９００を外部の実体と相互接続するように設定される。例えば、受信要素部９３０は起点基地局から設定データ及びデータ・パケットを受取るように設定され、一方、送信要素部９６０はＰＤＵを稼働集合における各基地局に送信するように設定される。
【手続補正３】
【補正対象書類名】明細書
【補正対象項目名】００６２
【補正方法】変更
【補正の内容】
【００６２】
図１４は多数のユーザーを支援するために設定された典型的な無線通信システム１４００を例示し、その中で開示された様々な実施例及び形態が実施される。図１４に示したように、一例として、システム１４００は対応するアクセス点（access point：ＡＰ）１４０４（例えば、ＡＰ １４０４ａ〜１４０４ｇ）によるサービスを受ける各セルと共に、例えば、マクロ・セル１４０２ａ〜１４０２ｇのような多数のセル１４０２に通信を提供する。各セルはさらに一以上のセクターに分割される。様々なアクセス端末（ＡＴ）１４０６はＡＴ １４０６ａ〜１４０６ｌを含み、ユーザー設備（ＵＥ）として互換的にまた知られているが、システム全体に分散される。例えば、ＡＴが稼働しているかどうか、そしてそれがソフト・ハンドオフにあるかどうかに応じて、各ＡＴ １４０６は所定の時間に順方向回線（ＦＬ）及び／または逆方向回線（ＲＬ）上で一以上のＡＰ １４０４と通信する。例えば、無線通信システム１４００は大きな地理的領域上でサービスを提供し、マクロ・セル１４０２ａ〜１４０２ｇは近隣における二、三のブロックを被包する。
【手続補正４】
【補正対象書類名】明細書
【補正対象項目名】００６５
【補正方法】変更
【補正の内容】
【００６５】
システム１５００はネットワーク回線１５６２、１５６４を介してＢＳ Ｉ １５０６及びＢＳ Ｍ １５０８にそれぞれ連結されるネットワーク・ノード１５６０を含む。ネットワーク・ノード１５６０はまたネットワーク回線１５６６を介して他のネットワーク・ノード、例えば、他の基地局、ＡＡＡサーバー・ノード、中間ノード、ルーター、等、及びインターネットに連結される。ネットワーク回線１５６２、１５６４、１５６６は、例えば、光ファイバー・ケーブルである。各末端ノード、例えば、ＥＮ（１）１５３６は受信器と同様に送信器を含む無線端末である。無線端末、例えば、ＥＮ（１）１５３６はシステム１５００を経て移動し、そしてＥＮが現在位置するセルにおける基地局と無線回線を介して通信する。無線端末（ＷＴ）、例えば、ＥＮ（１）１５３６は基地局、例えば、ＢＳ １５０６、及び／またはネットワーク・ノード１５６０を介してピア・ノード、例えば、システム１５００内またはシステム１５００外の他のＷＴと通信する。ＷＴ、例えば、ＥＮ（１）１５３６はセル電話、無線モデムを持つ個人情報機器、等といったモバイル通信デバイスである。それぞれの基地局は帯状シンボル期間（strip-symbol periods）に、トーンを割付けるために採用された方法とは異なる方法を使用し、そして残りシンボル期間、例えば非帯状シンボル期間においてトーン・ホッピングを決定するトーン部分集合割付を行う。無線端末は特定の帯状シンボル期間においてデータ及び情報を受取るために用いるトーンを決定するために、基地局から受取られる情報、例えば、基地局勾配ＩＤ（slope ID）、セクターＩＤ情報と共にトーン部分集合割付方法を使用する。トーン部分集合割付系列はそれぞれのトーンに亘るセクター間及びセル間干渉を拡散させる様々な形態に従って組立てられる。主題のシステムは主としてセル・モードの文脈の中で述べられたが、複数のモードがここに述べた形態に従って利用可能であることを認識すべきである。
【国際調査報告】
2011515966.tif 000020
2011515966.tif 000021